(57)【要約】【課題】  ネットワーク家電機器の活用を図ることによりセンサが不要であると共に導入コストを抑制することができる防犯システムを提供する。【解決手段】  使用者が玄関扉８に設けられた電気錠９に対して住宅１内に人が居ないことを示す所定の外出操作で施錠すると、ＩＴホームゲートウェイ２は、異常監視動作を開始する。不審者が照明６ｂのスイッチとして設けられている近接スイッチ６ｂ２の付近を通過すると、近接スイッチ６ｂ２が反応し、照明６ｂが点灯する。ＩＴホームゲートウェイ２は、外出モード中に照明が点灯したときは、異常が発生したと判断し、使用者の携帯電話機のメールアドレスに異常を示すメールを送信する。従って、メールを受信した使用者は、異常に対して迅速に対処する。【選択図】  図１
2006203517.tif 000002
【特許請求の範囲】
【請求項１】
住宅内に設置されたネットワーク家電機器と、
このネットワーク家電機器から発せられる状態変更情報を受信することにより当該ネットワーク家電機器の動作を監視すると共に外部から受信した制御コマンドに応じて前記ネットワーク家電機器を制御する家電機器制御装置と、
住宅内に人が居ないことを示す所定の外出操作及び住宅内に人が居ることを示す帰宅操作が行われたことを前記家電機器制御装置に通知する通知手段とを備え、
前記家電機器制御装置は、前記通知手段により外出操作が行われたことが通知されてから帰宅操作が行われたことが通知されるまでの間に前記ネットワーク家電機器から状態変更情報を受信したときは、異常と判断することを特徴とする防犯システム。
【請求項２】
前記ネットワーク家電機器の状態変更情報は、当該ネットワーク家電機器の電源投入情報であることを特徴とする請求項１記載の防犯システム。
【請求項３】
前記ネットワーク家電機器は照明器具であり、
前記ネットワーク家電機器の状態変更情報は、前記照明器具の点灯情報であることを特徴とする請求項１記載の防犯システム。
【請求項４】
前記ネットワーク家電機器は照明器具であり、
前記ネットワーク家電機器の状態変更情報は、前記照明器具の消灯情報であることを特徴とする請求項１記載の防犯システム。
【請求項５】
前記ネットワーク家電機器は冷蔵庫であり、
前記ネットワーク家電機器の状態変更情報は、前記冷蔵庫の扉の開閉情報であることを特徴とする請求項１記載の防犯システム。
【発明の詳細な説明】
【技術分野】
【０００１】
本発明は、住宅内のネットワークに接続されたネットワーク家電機器を利用した防犯システムに関する。
【背景技術】
【０００２】
従来、住宅内への侵入者を検知するためのセンサを設置したり、家電機器に特別な異常検出装置の仕組みを追加したりすることで、不在時における住宅内の異常を検出することが行われている。
【特許文献１】特開２００３−１１１１７０号公報
【発明の開示】
【発明が解決しようとする課題】
【０００３】
しかしながら、住宅内に個別にセンサを設置したり、家電機器に特別な異常検出の仕組みを追加したりすることは、センサの設置場所の確保が難しかったり、システムの導入コストが上昇してしまうという問題がある。
【０００４】
一方、近年、特許文献１に示されるように住宅内のネットワークに接続可能なネットワーク家電機器が提供されており、使用者は、住宅内からネットワーク家電機器を操作したり、その動作を監視したりすることが可能となっているものの、ネットワーク家電機器の価格は比較的高いことから、その付加価値を高めて販売を促進する必要がある。
【０００５】
本発明は上記事情に鑑みてなされたもので、その目的は、ネットワーク家電機器の活用を図ることによりセンサが不要であると共に導入コストを抑制することができる防犯システムを提供することにある。
【課題を解決するための手段】
【０００６】
本発明は、住宅内に設置されたネットワーク家電機器と、このネットワーク家電機器から発せられる状態変更情報を受信することにより当該ネットワーク家電機器の動作を監視すると共に外部から受信した制御コマンドに応じて前記ネットワーク家電機器を制御する家電機器制御装置と、住宅内に人が居ないことを示す所定の外出操作及び住宅内に人が居ることを示す帰宅操作が行われたことを前記家電機器制御装置に通知する通知手段とを備えた上で、前記家電機器制御装置は、前記通知手段により外出操作が行われたことが通知されてから帰宅操作が行われたことが通知されるまでの間に前記ネットワーク家電機器から状態変更情報を受信したときは、異常と判断するようにしたものである（請求項１）。
【０００７】
上記構成において、前記ネットワーク家電機器の状態変更情報は、当該ネットワーク家電機器の電源投入情報であってもよい（請求項２）。
また、前記ネットワーク家電機器は照明器具であり、前記ネットワーク家電機器の状態変更情報は、前記照明器具の点灯情報であってもよい（請求項３）。
【０００８】
前記ネットワーク家電機器は照明器具であり、前記ネットワーク家電機器の状態変更情報は、前記照明器具の消灯情報であってもよい（請求項４）。
前記ネットワーク家電機器は冷蔵庫であり、前記ネットワーク家電機器の状態変更情報は、前記冷蔵庫の扉の開閉情報であってもよい（請求項５）。
【発明の効果】
【０００９】
本発明によれば、家族全員が外出するために所定の外出操作を行うと、通知手段からそのことが家電機器制御装置に通知されるので、家電機器制御装置は、異常監視を開始する。
【００１０】
そして、不審者が住宅内に侵入して、ネットワーク家電機器を操作したり、ネットワーク家電機器が不審者の侵入に反応したりしたときは、ネットワーク家電機器から家電機器装置に対して状態変更情報が通知されるので、家電機器制御装置は、異常と判断する。これにより、家電機器制御装置が異常と判断したときは、使用者は、異常に対して適切に対処することが可能となる。
【発明を実施するための最良の形態】
【００１１】
以下、本発明の一実施例について図面を参照して説明する。
図１は本システムの概略的構成を示すもので、住宅１内にはＩＴホームゲートウェイ（家電機器制御装置に相当）２が据え付けられている。このＩＴホームゲートウェイ２には、例えばＥＣＨＯＮＥＴ（登録商標）に代表されるようなネットワーク家電機器用の制御ソフトウェアが内蔵されており、このＩＴホームゲートウェイ２を中心として宅内に宅内ネットワークが構築される。
【００１２】
また、ＩＴホームゲートウェイ２は、住宅１の外部に構築されている公衆回線網の一つであるインターネット３にブロードバンド用モデム４を介して接続されており、このインターネット３を通じてシステムの情報を提供するＡＳＰ(Application Service Provider)サーバ５にアクセス可能に構成されている。
【００１３】
住宅１内には各種のネットワーク家電機器６が設置されており、これらのネットワーク家電機器６が宅内ネットワーク７によりＩＴホームゲートウェイ２と通信可能に構成されている。ネットワーク家電機器６の例としては、例えばエアコン６ａや照明６ｂなど（他にも、冷蔵庫、電子レンジ、ＩＨクッキングヒータなど一般的家電機器全般にネットワーク家電機器として利用することができる：以下これらを総称する場合にネットワーク家電機器６と呼ぶ）であり、Ethernet（登録商標）、Bluetooth（登録商標）、無線ＬＡＮといった有線若しくは無線通信媒体によって宅内ネットワーク７を構築している。本実施例のエアコン６ａ、照明６ｂは、Bluetooth仕様によりBluetoothアダプト６ａ１，６ｂ１を通じてＩＴホームゲートウェイ２に接続可能に構成されている。これらネットワーク家電機器６は、ＩＴホームゲートウェイ２より規定された制御コマンドを受け取ると、その制御コマンドに応じた駆動制御を実行するように構成されている。
【００１４】
即ち、本実施例の照明システムの例で説明すると、Bluetooth仕様のアダプタ６ｂ１を通じて照明６ｂの電源制御／監視を行うようになっている。つまり、Bluetoothによる通信装置は、ＵＡＲＴ(Universal Asynchronous Receiver Transmitter)を介して接続される照明６ｂの点灯・消灯の状態を取得可能であると共に、照明６ｂの点灯・消灯を実行できるようになっている。このようなネットワーク対応の照明６ｂを住宅１内或いは他の一般的な家電機器、例えば冷蔵庫などに取付けた場合は、照明６ｂの遠隔操作が可能であると共に、その状態を監視可能となる。
【００１５】
また、ネットワーク対応の照明６ｂを、例えばリビング或いは渡り廊下に設置された自動点灯の照明として構成することも可能である。この照明６ｂは、スイッチ部が近接スイッチ６ｂ２からなり、近接スイッチ６ｂ２付近に手をかざしたり、人が通ったりすることで照明６ｂが点灯する構成となっている。これは、夜間照明のない状態でスイッチを操作することなく、近接スイッチ６ｂ２の設置場所に手をかざすことで点灯させるという利便性の向上を目的としている。このような照明６ｂでは、ＩＴホームゲートウェイ２は、点灯・消灯の状態変化を監視可能となっている。
【００１６】
一方、人の出入りに用いる玄関扉８には電気錠９が設けられており、本実施例では、電気錠９もネットワーク家電機器として構成されている。この電気錠９は、インターホン装置（通知手段に相当）１０により遠隔操作可能となっていると共に、通常の施錠と後述する外出モードでの施錠という二種類の手動による施錠が可能となっており、電気錠９が通常に施錠された場合は、住宅１内に人が居る可能性があるとして、外出モードの設定が行われることはない。このインターホン装置１０は、電気錠９の遠隔操作機能に加えてインターホン機能を備えており、玄関扉８まで出向くことなく屋外に設置したドアホン１１を通じて来客者との通話が可能となっている。
【００１７】
ここで、電気錠９を外出モードで施錠する構成としては、電気錠９のキーシリンダは、解錠位置と施錠位置との間で回動可能であると共に、その回動操作を押し込み操作しながら可能に構成されており、電気錠９のキーシリンダに差し込んだキーを押し込みながら解錠位置から施錠位置に回転操作、或いは施錠位置に位置した状態で押し込み操作することをトリガーとして外出モードを通知するようになっている。このような外出モードを通知する構成としては、電気錠９の操作位置として外出モード位置を設けたり、玄関扉８に外出モードであることを通知するための外出ボタンを設けたりするようにしてもよい。外出ボタンを設ける場合は、外出ボタンに対する操作が第三者により行われてしまうことがないように操作を規制する必要がある。
【００１８】
また、電気錠９を外出モードで施錠したときは、屋外に設けられたドアホン１１から「いってらっしゃい」と音声が発せられることから、使用者は、外出モードに設定されたことを確認することができる。また、外出モード状態で電気錠９が解錠位置に操作されたときは、「おかえりなさい」と音声が発せられることから、外出モードが解除されたことを確認することができる。
【００１９】
図２は、インターホン装置１０とＩＴホームゲートウェイ２との接続構成を示している。この図２において、インターホン装置１０はＪＥＭ−Ａ端子１０ａを有しており、ＪＥＭ−Ａ端子１０ａを通じてＩＴホームゲートウェイ２と接続されている。このＪＥＭ−Ａ端子１０ａは、住宅用設備の制御／監視用インターフェースであり、制御用の信号を入力するための２個の制御端子と、外部に監視用の信号を出力するための２個の監視端子を備えて構成されている。インターホン装置１０は、制御端子を通じてＩＴホームゲートウェイ２からパルス信号を受信したときは、電気錠９を施錠状態と解錠状態とに切り換えるようになっている。また、電気錠９が後述するように外出モードで施錠されたときは、その外出モードが解除されるまでの間、監視端子を通じてハイレベル信号をＩＴホームゲートウェイ２に出力する。
【００２０】
ＩＴホームゲートウェイ２は、インターホン装置１０の監視端子からハイレベル信号を受信したときは、外出モードであることを示すステータスをＡＳＰサーバ５に送信すると共に、後述するようにネットワーク家電機器６による監視動作を実行するようになっている。
【００２１】
図１に戻って、ＩＴホームゲートウェイ２にはパソコン１２が宅内ネットワーク７により接続されている。このパソコン１２は、Bluetoothインターフェースを備え、ＰＡＮ（個人ネットワークエリア）プロファイルにより制御コマンドをＩＴホームゲートウェイ２に送信することによりネットワーク家電機器６を宅内で操作可能とすると共に、ＩＴホームゲートウェイ２からの家電機器の状態情報を受信することによりネットワーク家電機器６の状態を監視可能となっている。
尚、図１には示していないが、Bluetoothインターフェースを備えた携帯電話機でもＩＴホームゲートウェイ２に接続することによりネットワーク家電機器６を操作可能となっている。
【００２２】
一方、インターネット３に接続されたＡＳＰサーバ５は、ネットワーク家電機器６の販売者或いはサービス提供業者が設置したもので、ネットワーク家電機器６に関する各種サービスを使用者に提供するためのものである。このＡＳＰサーバ５には、携帯機器としての携帯電話機１３から基地局１４を通じて、或いはパソコン１２からインターネット３を通じて接続可能となっている。ＡＳＰサーバ５にはデータベース１５が設置されている。このデータベースとして、ユーザ情報データベースが設けられている。このユーザ情報データベースには、予めユーザ登録によりユーザ情報が登録されており、ＡＳＰサーバ５へのログインＩＤやパスワードなどのユーザ情報、ＩＴホームゲートウェイ２のネットワークアドレス（ＭＡＣアドレス）などのＩＴホームゲートウェイ２の設定情報、ＩＴホームゲートウェイ２に接続されたネットワーク家電機器６のネットワークアドレスや種類、型名といったネットワーク家電機器６の設定情報が記憶されている。
【００２３】
これらの登録情報はリレーショナルデータベースなどによりデータベース管理されており、使用者は、ログインＩＤの入力により特定されたときは、自己のＩＴホームゲートウェイ２の設定情報やネットワーク家電機器６の設定情報にアクセス可能となっている。また、データベースとして、ネットワーク家電機器６の制御アプリケーションソフトウェアを保持する家電アプリケーションデータベースも設けられている。従って、使用者は、携帯電話機１３でＡＳＰサーバ５にアクセスして制御アプリケーションソフトをダウンロードすることにより、遠隔地からネットワーク家電機器６を制御可能であると共に、ネットワーク家電機器６の状態を確認することができる。
【００２４】
本実施例では、データベースとして、住宅の玄関扉８に設けられた電気錠９の状態を記憶する電気錠状態データベースが設けられている。この電気錠状態データベースには、後述するように電気錠の状態として外出モードであることを示すステータスが記憶されるようになっている。従って、使用者は、携帯電話機１３からＡＳＰサーバ５にアクセスし、外出モードを示すステータスが記憶されているかを確認することにより、電気錠９の状態を遠隔地から確認可能となっている。尚、電気錠９は、ＡＳＰサーバ５にアクセスすることにより施錠可能であるものの、解錠はセキュリティの観点からできないようになっている。
また、ＩＴホームゲートウェイ２は、電子メールの送信機能を備えており、後述するように異常が発生したと判断したときは、予め設定された使用者の携帯電話機１３のメールアドレスに異常の発生を通知するようになっている。
【００２５】
次に、上記構成の作用について説明する。
家族全員が外出する場合は、玄関扉８の電気錠９を施錠する際に外出モードを設定して外出する。つまり、電気錠９のキーシリンダにキーを差込み、キーを押し込んだ状態で解錠位置から施錠位置に回転させる。尚、キーを解錠位置から施錠位置に回転した状態で押し込んでもよい。
【００２６】
図３は、各機器の動作のシーケンスを示している。この図３において、インターホン装置１０は、電気錠９のキーシリンダが押し込まれた状態で解錠位置から施錠位置に回転したときは、住宅１内に人が居ないことを示す外出操作が行われたとして、屋外のドアホン１１から「いってらっしゃい」という音声を発すると共に、ＪＥＭ−Ａ端子１０ａの監視端子からハイレベル信号を出力する（図４参照）。従って、使用者は、外出モードが設定されたことを確認することができる。
【００２７】
図５は、ＩＴホームゲートウェイ２の動作を示すフローチャートである。この図５において、ＩＴホームゲートウェイ２は、インターホン装置１０の監視端子からハイレベル信号が出力されたときは（Ｓ１：ＹＥＳ）、外出モードが設定されたと判断し、異常監視動作を開始する（Ｓ２）。この異常監視動作では、監視対象のネットワーク家電機器６から状態変更情報の通知を受けたか（Ｓ３）、インターホン装置１０の監視端子からのハイレベル信号が停止したか（Ｓ４）を監視する。
【００２８】
さて、このような異常監視動作中に、不審者が例えば窓から屋内に侵入し、リビングに設置されている照明６ｂの近接スイッチ６ｂ２の近くを通過した場合は、照明６ｂの近接スイッチが反応し、照明６ｂが点灯する。照明システムは、照明が点灯したときは、状態変更情報（点灯）をＩＴホームゲートウェイ２に通知する。
【００２９】
ＩＴホームゲートウェイ２は、異常監視動作中に照明システムから状態変更情報（点灯）を受信したときは、異常が発生したと判断し、予め登録された使用者の携帯電話機１３のメールアドレスに異常を示すメールを送信する。従って、使用者は、携帯電話機１３に送信されたメールを確認したときは、警備会社に連絡したり、外出先から帰宅したりして、迅速に対応する。
【００３０】
一方、帰宅した使用者が電気錠９にキーを差し込んで、施錠位置から解錠位置に回転すると、インターホン装置１０の監視端子から出力されていたハイレベル信号が停止するので（図４参照）、ＩＴホームゲートウェイ２は、使用者が帰宅したと判断し（Ｓ４：ＹＥＳ）、異常監視を終了する（Ｓ５）。従って、以後においては、監視対象のネットワーク家電機器６の動作状態が変化するにしても、ＩＴホームゲートウェイ２が異常を判断することはない。
【００３１】
このような実施例によれば、ＩＴホームゲートウェイ２は、外出モードが設定された場合は異常監視動作を開始し、その異常監視動作中にネットワーク家電機器６に状態変化が発生したときは、異常が発生したと判断し、そのことを使用者に報知するようにしたので、ネットワーク家電機器６を利用して防犯システムを構築することができる。従って、特別のセンサを設けることなく、異常の発生を検出することができるので、防犯システムを容易に構築することができると共に、ネットワーク家電機器６の付加価値を高めることができる。
【００３２】
本発明は、上記実施例に限定されることなく、次のように変形または拡張できる。
ネットワーク家電機器６の状態変化による異常判断としては、各種のネットワーク家電機器の動作変化により実施可能であり、上述した照明６ｂの自動点灯の他、手動操作による照明の点灯／消灯、冷蔵庫の扉の開閉、エアコン６ａの動作、調理器具の動作などにより実施可能である。
ＩＴホームゲートウェイ２が異常を検出したときは、警備会社に異常を通知するようにしてもよい。
【図面の簡単な説明】
【００３３】
【図１】本発明の一実施例におけるシステムの全体構成を示すブロック図
【図２】インターホン装置とＩＴホームゲートウェイとの接続関係を示す図
【図３】各機器の動作を示すシーケンス図
【図４】インターホン装置の監視端子の出力レベルを示す図
【図５】ＩＴホームゲートウェイの動作を示すフローチャート
【符号の説明】
【００３４】
図面中、１は住宅、２はＩＴホームゲートウェイ（家電機器制御装置）、５はＡＳＰサーバ、６ａはエアコン（ネットワーク家電機器）、６ｂは照明（ネットワーク家電機器）、９は電気錠、１０はインターホン装置（通知手段）である。
【図１】
2006203517.tif 000003
【図２】
2006203517.tif 000004
【図３】
2006203517.tif 000005
【図４】
2006203517.tif 000006
【図５】
2006203517.tif 000007